(57)【要約】      （修正有）【課題】ブランド物や自分の気に入っている財布、定期入れ等に非接触型の記録媒体を収容した場合でも、スキミングを簡単に防止することができる電磁波遮蔽体を提供する。【解決手段】財布１のカード入れ７，８，９，１０内には、キャッシュカードやクレジットカード等からなる非接触型の記録媒体であるＩＣカード１１，１２，１３，１４を収容する。そして、遮蔽シートが内蔵された可撓性を有する電磁波遮蔽体２０を財布１の札入れ４内に収容する。これにより、財布１を折り畳んだときに、電磁波遮蔽体２０は財布１と一緒に二つに折り畳まれてＩＣカード１１，１２，１３，１４を両面側から挟み込むように配置される。このため、ＩＣカード１１，１２，１３，１４からのデータの流出を電磁波遮蔽体２０で遮蔽することができる。【選択図】図２
0003113137.tif 000002
【実用新案登録請求の範囲】
【請求項１】
外部からの電磁波を遮蔽する遮蔽シートと、
前記遮蔽シートを保護するため、前記遮蔽シートの両面を覆うように設けられた保護カバーとを備えたことを特徴とする電磁波遮蔽体。
【請求項２】
前記遮蔽シートは、可撓性を有する薄板を用いて形成することを特徴とする請求項１に記載の電磁波遮蔽体。
【請求項３】
前記遮蔽シートは、樹脂材料または繊維材料の表面に金属材料をコーティングしたものであることを特徴とする請求項１または請求項２に記載の電磁波遮蔽体。
【請求項４】
前記遮蔽シートは、金属材料を用いて形成したことを特徴とする請求項１または請求項２に記載の電磁波遮蔽体。
【請求項５】
前記遮蔽シートは、表面抵抗が１Ω／ｓｑ以下であることを特徴とする請求項１ないし請求項４のいずれか１項に記載の電磁波遮蔽体。
【請求項６】
前記遮蔽シートおよび保護カバーは、財布または定期入れの札入れに収容可能なように略長方形状に形成されることを特徴とする請求項１ないし請求項５のいずれか１項に記載の電磁波遮蔽体。
【考案の詳細な説明】
【技術分野】
【０００１】
本考案は、電磁波を用いて信号の送受信を行う非接触型ＩＣカードの電磁波遮蔽を目的とした電磁波遮蔽体に関するものである。
【背景技術】
【０００２】
ＩＣカード等の記録媒体には、コネクタを介して信号の送受信を直接的に行う接触型の記録媒体と、電磁波を用いて信号の送受信を行う非接触型の記録媒体がある。非接触型の記録媒体は、キャッシュカードやクレジットカードとして利用されることが多く、この非接触型の記録媒体を財布や定期入れに収容して携行することが通常となっている。
【０００３】
ところで、このような非接触型の記録媒体は空間的に隔離した位置からの信号の送受信が可能であるため、この記録媒体を財布や定期入れに収容して携行したときに、記録媒体を携行している人物に第三者が接近して記録媒体に記憶されたデータの破壊、不正取得等（以下、スキミングという）が行われるおそれがある。
【０００４】
そこで、従来、財布や定期入れ等に電磁波遮蔽部材を一体に取り付けたり、これら財布や定期入れ等に遮蔽部材収容部を別途設け、この遮蔽部材収容部に電磁波遮蔽部材を収容したりすることにより、前記記録媒体からのデータの流出を遮蔽する構成としたものが知られている（例えば、特開２０００−０３００１４号公報、特開２００４−１８８２１５号公報、特開２００１−２５６４５０号公報、特開２００３−３２３５９６号公報、特開２００３−３００５７９号公報等参照）。
【考案の開示】
【考案が解決しようとする課題】
【０００５】
ところで、前記した各従来技術では、消費者は、スキミングを防止するために、電磁波遮蔽部材が装着されたある特定のデザインの財布や定期入れ等のみしか購入せざるを得ない。消費者の中には、ブランド物の財布や定期入れ等を使用したい人もいるが、前記した各従来技術では実現できないという問題がある。
【０００６】
本考案は、前記問題を解決すべく、ブランド物や自分の気に入っている財布、定期入れ等に非接触型の記録媒体を収容した場合でも、スキミングを簡単に防止することができる電磁波遮蔽体を提供することを課題とする。
【課題を解決するための手段】
【０００７】
本考案は、前記課題を解決すべく構成されるものであり、請求項１に記載の考案は、外部からの電磁波を遮蔽する遮蔽シートと、前記遮蔽シートを保護するため、前記遮蔽シートの両面を覆うように設けられた保護カバーとを備えたことを特徴としている。
【０００８】
請求項１に記載の考案によれば、保護カバーで覆われた遮蔽シートを、例えば財布の札入れ等に収容して財布を折り畳むだけで、この遮蔽シートを、財布に収容したＩＣカード等の記録媒体に対して両面側から挟み込むように配置でき、記録媒体からのデータの流出を遮蔽シートで確実に遮蔽することができる。また、遮蔽シートを保護カバーで覆うことにより、遮蔽シートの損傷等を防止することができる。
【０００９】
請求項２に記載の考案は、遮蔽シートを、可撓性を有する薄板を用いて形成することを特徴としている。
【００１０】
請求項２に記載の考案によれば、遮蔽シートが可撓性を有するから、例えば１枚の遮蔽シートを折り畳み式の財布の札入れに収容する場合でも、遮蔽シートが財布と一緒に折り畳まれることにより、この遮蔽シートを財布に収容したＩＣカード等の記録媒体の両面側に配置することができ、例えば記録媒体の両面側に遮蔽シートを別々に配置する必要をなくすことができ、電磁波遮蔽体の実用性を高めることができる。
【００１１】
請求項３に記載の考案は、遮蔽シートが、樹脂材料または繊維材料の表面に金属材料をコーティングしたものであることを特徴としている。
【００１２】
請求項３に記載の考案によれば、遮蔽シートを、樹脂材料または繊維材料の表面に金属材料をコーティングしたものを用いて形成することにより、遮蔽シートによる電磁波の遮蔽効果を一層高めることができる。
【００１３】
請求項４に記載の考案は、遮蔽シートを、金属材料を用いて形成したことを特徴としている。
【００１４】
請求項４に記載の考案によれば、遮蔽シートを、金属材料を用いて形成することにより、遮蔽シートによる電磁波の遮蔽効果を請求項３の考案と同様に高めることができる。
【００１５】
請求項５に記載の考案は、遮蔽シートの表面抵抗が１Ω／ｓｑ以下であることを特徴としている。
【００１６】
請求項５に記載の考案によれば、遮蔽シートの表面抵抗を１Ω／ｓｑ以下に設定することにより、遮蔽シートによる電磁波の遮蔽効果をより一層高めることができる。
【００１７】
請求項６に記載の考案は、遮蔽シートおよび保護カバーが、財布または定期入れの札入れに収容可能なように略長方形状に形成されることを特徴としている。
【００１８】
請求項６に記載の考案によれば、遮蔽シートおよび保護カバーを財布または定期入れの札入れの形状と対応して略長方形状に形成することにより、遮蔽シートおよび保護カバーからなる電磁波遮蔽体を前記札入れに安定して収容することができる。
【考案の効果】
【００１９】
本考案によれば、ブランド物や自分の気に入っている種々の財布、定期入れ等においても、これら財布、定期入れ等に電磁波遮蔽体を収容するだけで、スキミングを簡単に防止することができる。
【考案を実施するための最良の形態】
【００２０】
以下、添付図面を参照して、本考案の実施の形態を詳細に説明する。
【００２１】
（第１の実施の形態）
次に、本考案の第１の実施の形態について、適宜図面を参照しながら詳細に説明する。参照する図面において、図１は、本実施の形態に係る電磁波遮蔽体を財布と共に示す分解斜視図、図２は、電磁波遮蔽体を財布に収容して財布を折り畳んだ状態を図１中の矢示II−II方向からみた断面図である。図３は電磁波遮蔽体の拡大図で、（ａ）は電磁波遮蔽体を単体で示す斜視図、（ｂ）は電磁波遮蔽体を（ａ）中の矢示III−III方向からみた断面図である。
【００２２】
図１および図２に示すように、財布１は、いわゆる二つ折り財布であり、略長方形状をなす外側カバー部２と、外側カバー部２に一体に取り付けられた同じく略長方形状をなす内側カバー部３とを備えている。財布１には、これら外側カバー部２および内側カバー部３により札入れ４が形成され、この札入れ４内には、紙幣５，６等が後記する電磁波遮蔽体２０と一緒に収容されている。そして、この財布１は、外側カバー部２および内側カバー部３のそれぞれの長手方向中間部分が変形することにより、図２に示すように閉じたり（折り畳まれたり）、図１に示すように開いたりすることが可能となっている。
【００２３】
また、財布１の内側カバー部３には、図１に示す財布１の折り畳み線Ｌを挟んで一方側にカード入れ７，８，９，１０が形成され、これらカード入れ７，８，９，１０内には、それぞれ例えばキャッシュカードやクレジットカード等からなる非接触型の記録媒体であるＩＣカード１１，１２，１３，１４が収容されている。なお、財布１の内側カバー部３には、折り畳み線Ｌを挟んで他方側にコイン１５，１５，…（図２参照）を入れるためのコイン入れ１６が設けられている。また、本実施の形態では、二つ折りタイプの財布１を例に挙げて説明したが、三つ折りタイプの財布にも適用可能である。
【００２４】
次に、本実施の形態に係る電磁波遮蔽体２０について図３（ａ）、（ｂ）を参照して説明する。
【００２５】
図３（ａ），（ｂ）に示すように、電磁波遮蔽体２０は、外部からの電磁波を遮蔽する遮蔽シート２１と、遮蔽シート２１を両面から覆うように設けられた保護カバー２２，２３とによって構成されている。そして、この電磁波遮蔽体２０は図２に示すように財布１の札入れ４内に収容され、常時は財布１と共に二つに折り畳まれ、ＩＣカード１１，１２，１３，１４を両面側から挟み込むように配置されている。
【００２６】
ここで、遮蔽シート２１は、例えば樹脂材料または繊維材料の表面に金属材料をコーティングした可撓性（弾性）を有する略長方形状の薄板として形成されている。具体的には、樹脂材料であるナイロンメッシュの表面にＣｕ（銅）をメッキし、さらにこのＣｕ（銅）の表面にＮｉ（ニッケル）をメッキしたものを用いることが好ましい。なお、前記樹脂材料または前記繊維材料にコーティングする金属材料としては、前記したＮｉ（ニッケル）、Ｃｕ（銅）の他に、Ａｌ（アルミニウム）、Ｃｕ（銅）、Ａｇ（銀）、Ａｕ（金）、Ｚｕ（亜鉛）、Ｔｉ（チタン）、Ｃｏ（コバルト）、白金またはこれら各金属材料（ニッケル、銅を含む）を任意に組み合わせた合金等が挙げられる。また、これら各金属材料、合金を用いて、遮蔽シート２１全体を網状の金属シートによって形成してもよい。また、この遮蔽シート２１は、表面抵抗が１Ω／ｓｑ以下、好ましくは０．１Ω／ｓｑ以下程度に設定されている。
【００２７】
保護カバー２２，２３は、例えば樹脂材料または布等の可撓性を有する材料を用いて略長方形状に形成されている。そして、保護カバー２２，２３は、それぞれの周縁部２２Ａ，２３Ａが全周に亘って溶着または接着等の手段により互いに一体化されている。
【００２８】
このように構成される本実施の形態によれば、電磁波遮蔽体２０を財布１の札入れ４に収容して二つに折り畳むだけで、遮蔽シート２１が内蔵された電磁波遮蔽体２０を、財布１に収容したＩＣカード１１，１２，１３，１４等の記録媒体に対してその両面側から挟み込むように配置することができ、ＩＣカード１１〜１４からのデータの流出を遮蔽シート２１で確実に遮蔽することができる。
【００２９】
従って、消費者はブランド物や自分の気に入っている種々の財布（例えば財布１）を購入した場合でも、この財布１の札入れ４に電磁波遮蔽体２０を収容しておくだけで、スキミングを簡単に防止することができ、消費者は前記従来技術で述べたようなある特定の財布を購入する必要がなくなり、消費者の好みに応じた財布を自由に選択して購入することができる。また、遮蔽シート２１全体を両面側から保護カバー２２，２３で覆って遮蔽シート２１の露出をなくす構成としたので、遮蔽シート２１の破損、損傷等を防止することができる。
【００３０】
また、電磁波遮蔽体２０の遮蔽シート２１および保護カバー２２，２３を可撓性を有する材料を用いて形成したので、１枚の遮蔽シート２１のみを財布１の札入れ４に収容するだけで、電磁波遮蔽体２０を財布１と一緒に折り畳んでＩＣカード１１〜１４の両面側に配置することができる。これにより、例えばＩＣカード１１〜１４の両面側に電磁波遮蔽体２０を別々に配置する必要がなくなり、電磁波遮蔽体２０の実用性を高めることができる。
【００３１】
さらに、遮蔽シート２１を、樹脂材料または繊維材料の表面に金属材料をコーティングしたものを用いて形成したので、遮蔽シート２１による電磁波の遮蔽効果を高めることができる。しかも、遮蔽シート２１の表面抵抗を１Ω／ｓｑ以下に設定したので、遮蔽シート２１による電磁波の遮蔽効果を一層高めることができる。さらに、電磁波遮蔽体２０を財布１の札入れ４の形状と対応して略長方形状に形成したので、電磁波遮蔽体２０を札入れ４内に安定して収容することができる。
【００３２】
また、電磁波遮蔽体２０の保護カバー２２，２３の色やデザインを適宜に変更することで、電磁波遮蔽体２０のファッション性（見栄え）の向上を図ることができる。また、保護カバー２２，２３の色やデザインを風水や占い等でよいとされるものに自由に変更することもできる。
【００３３】
（第２の実施の形態）
次に、本考案の第２の実施の形態について、適宜図面を参照しながら詳細に説明する。参照する図面において、図４は、本実施の形態に係る電磁波遮蔽体を財布と共に示す分解斜視図、図５は、電磁波遮蔽体を財布に収容して財布を折り畳んだ状態を図４中の矢示Ｖ−Ｖ方向からみた断面図である。
【００３４】
図４および図５に示すように、財布４０は、いわゆる長財布であり、二つに折り畳み可能な外側カバー部４１と、外側カバー部４１に連続して設けられた第１の内側カバー部４２と、外側カバー部４１に設けられた第２の内側カバー部４３とを備えている。財布４０には、外側カバー部４１と第１の内側カバー部４２により札入れ４４が形成されると共に、外側カバー部４１と第２の内側カバー部４３によりカード入れ４５が形成されている。札入れ４４には紙幣４６，４７が後記する第１の電磁波遮蔽体６０と一緒に収容されている。また、カード入れ４５には、後記する第２の電磁波遮蔽体７０が収容されている。
【００３５】
また、第１の内側カバー部４２にはコイン４８，４８，…（図５参照）を収容するためのコイン入れ４９が設けられると共に、このコイン入れ４９には例えば６個のカード入れ５０，５０，…が設けられている。これら各カード入れ５０には、それぞれ第１の実施の形態と同様にＩＣカード５１，５１，…が収容されている。
【００３６】
次に、第１，第２の電磁波遮蔽体６０，７０について説明する。
図５に示すように、第１の電磁波遮蔽体６０は、第１の実施の形態で述べた電磁波遮蔽体２０と同様に、遮蔽シート６１と、遮蔽シート６１を両面から覆うように設けられた保護カバー６２，６３とによって構成されている。
【００３７】
ここで、遮蔽シート６１は、金属材料を用いた略長方形状の薄板として形成されている。なお、前記金属材料としては、Ｎｉ（ニッケル）、Ｃｕ（銅）、Ａｌ（アルミニウム）、Ｃｕ（銅）、Ａｇ（銀）、Ａｕ（金）、Ｚｕ（亜鉛）、Ｔｉ（チタン）、Ｃｏ（コバルト）、白金またはこれら各金属材料を任意に組み合わせた合金等が挙げられる。また、この遮蔽シート２１は、表面抵抗が１Ω／ｓｑ以下、好ましくは０．１Ω／ｓｑ以下程度に設定されている。
【００３８】
また、第２の電磁波遮蔽体７０についても、遮蔽シート７１と、遮蔽シート７１を両面から覆うように設けられた保護カバー７２，７３とによって構成されている。そして、遮蔽シート７１は、遮蔽シート６１と同様に金属材料を用いた略長方形状の薄板として形成されている。
【００３９】
このように構成される本実施の形態でも、図５に示すように財布４０の外側カバー部４１を閉じたときには、財布４０に収容した各ＩＣカード５１を第１，第２の電磁波遮蔽体６０，７０で両側から挟み込むように配置することができ、各ＩＣカード５１からのデータの流出を第１，第２の電磁波遮蔽体６０，７０で確実に遮蔽することができる。
【００４０】
従って、消費者はブランド物や自分の気に入っている種々の財布（例えば財布４０）を購入した場合でも、この財布４０の札入れ４４およびカード入れ４５にそれぞれ第１，第２の電磁波遮蔽体６０，７０を収容しておくだけで、スキミングを簡単に防止でき、第１の実施の形態とほぼ同様の作用効果を得ることができる。
【００４１】
なお、第１の実施の形態では、電磁波遮蔽体２０を財布１に適用する場合を例に挙げて説明したが、本考案はこれに限らず、例えば、電磁波遮蔽体２０を定期入れやかばん等の種々の入れ物に適用してしてもよい。このことは第２の実施の形態についても同様である。
【図面の簡単な説明】
【００４２】
【図１】本考案の第１の実施の形態に係る電磁波遮蔽体を財布と共に示す分解斜視図である。
【図２】電磁波遮蔽体を財布に収容して財布を折り畳んだ状態を図１中の矢示II−II方向からみた断面図である。
【図３】本考案の第１の実施の形態に係る電磁波遮蔽体の拡大図で、（ａ）は電磁波遮蔽体を単体で示す斜視図、（ｂ）は電磁波遮蔽体を（ａ）中の矢示III−III方向からみた断面図である。
【図４】本考案の第２の実施の形態に係る電磁波遮蔽体を財布と共に示す分解斜視図である。
【図５】電磁波遮蔽体を財布に収容して財布を折り畳んだ状態を図４中の矢示Ｖ−Ｖ方向からみた断面図である。
【符号の説明】
【００４３】
１，４０  財布
２０    電磁波遮蔽体
２１，６１，７１  遮蔽シート
２２，２３，６２，６３，７２，７３  保護カバー
６０    第１の電磁波遮蔽体
７０    第２の電磁波遮蔽体
１１，１２，１３，１４，５１  ＩＣカード
【図１】
0003113137.tif 000003
【図２】
0003113137.tif 000004
【図３】
0003113137.tif 000005
【図４】
0003113137.tif 000006
【図５】
0003113137.tif 000007